【手続補正書】
【提出日】平成18年7月26日(2006.7.26)
【手続補正１】
【補正対象書類名】明細書
【補正対象項目名】特許請求の範囲
【補正方法】変更
【補正の内容】
【特許請求の範囲】
【請求項１】  被写体に対する左右２つの視点に対応して撮影した画像を表示する撮影表示システムであって、
前記左右２つの視点に対応する画像のうち一方の画像の部分領域を第１の表示画像として切り出し、前記第１の表示画像の領域の移動に伴い、逐次他方の画像の前記第１の表示画像に対応する領域を抽出し、前記抽出領域を第２の表示画像として切り出す制御を行う制御手段を有し、前記第１及び第２の表示画像を左右各々の眼で独立に観察可能としたことを特徴とする撮影表示システム。
【請求項２】  更に、前記被写体を撮影する撮影手段と、該撮影手段による撮影に基づき前記第１及び第２の表示画像を表示する表示手段と、該表示手段に表示された前記第１及び第２の表示画像を左右各々の眼で独立に観察可能な観察手段とを有することを特徴とする請求項１記載の撮影表示システム。
【請求項３】  更に、前記第１の表示画像の領域の移動を指示する指示手段を有することを特徴とする請求項１又は２記載の撮影表示システム。
【請求項４】  更に、前記左右２つの視点に対応する左右被写体像を前記撮影手段の撮影面に導光する導光手段を有し、前記左右２つの視点に対応する画像は、前記撮影手段に前記導光手段を装着して撮影した立体画像を左右２つに分割した画像であることを特徴とする請求項１乃至３の何れかに記載の撮影表示システム。
【請求項５】  前記撮影手段としてのデジタルカメラで異なる視点から別々に撮影した立体画像や前記撮影手段としての複数の撮影光学系を持つ立体カメラで撮影した立体画像を表示する場合に適用可能であることを特徴とする請求項２記載の撮影表示システム。
【請求項６】  前記撮影手段に前記導光手段を装着し前記撮影手段を中心に回転して複数の立体画像を撮影し、撮影した各立体画像から左右画像を取得し、左画像同士及び右画像同士をパノラマ画像作成ツールにより合成して左右パノラマ画像を生成し、左右パノラマ画像を左右画像として表示する場合に適用可能であることを特徴とする請求項２又は４記載の撮影表示システム。
【請求項７】  前記撮影手段で撮影した左右画像をストライプ状に分けて並べることで画像を生成し、パララックスバリア方式の立体表示装置やレンチキュラレンズ方式の立体表示装置に表示する場合に適用可能であることを特徴とする請求項２記載の撮影表示システム。
【請求項８】  被写体に対する左右２つの視点に対応して撮影した画像を表示する撮影表示システムに適用される立体画像表示方法であって、
前記左右２つの視点に対応する画像のうち一方の画像の部分領域を第１の表示画像として切り出し、前記第１の表示画像の領域の移動に伴い、逐次他方の画像の前記第１の表示画像に対応する領域を抽出し、前記抽出領域を第２の表示画像として切り出す制御を行う制御ステップを有し、前記第１及び第２の表示画像を左右各々の眼で独立に観察可能としたことを特徴とする立体画像表示方法。
【請求項９】  前記被写体を撮影手段により撮影し、前記撮影手段による撮影に基づき前記第１及び第２の表示画像を表示手段により表示し、前記表示手段に表示された前記第１及び第２の表示画像を観察手段を介して左右各々の眼で独立に観察することを特徴とする請求項８記載の立体画像表示方法。
【請求項１０】  前記第１の表示画像の領域の移動を指示手段を介して行うことを特徴とする請求項８又は９記載の立体画像表示方法。
【請求項１１】  前記左右２つの視点に対応する画像は、前記撮影手段に、前記左右２つの視点に対応する左右被写体像を前記撮影手段の撮影面に導光する導光手段を装着して撮影した立体画像を左右２つに分割した画像であることを特徴とする請求項８乃至１０の何れかに記載の立体画像表示方法。
【請求項１２】  前記撮影手段としてのデジタルカメラで異なる視点から別々に撮影した立体画像や前記撮影手段としての複数の撮影光学系を持つ立体カメラで撮影した立体画像を表示する場合に適用可能であることを特徴とする請求項９記載の立体画像表示方法。
【請求項１３】  前記撮影手段に前記導光手段を装着し前記撮影手段を中心に回転して複数の立体画像を撮影し、撮影した各立体画像から左右画像を取得し、左画像同士及び右画像同士をパノラマ画像作成ツールにより合成して左右パノラマ画像を生成し、左右パノラマ画像を左右画像として表示する場合に適用可能であることを特徴とする請求項９又は１１記載の立体画像表示方法。
【請求項１４】  前記撮影手段で撮影した左右画像をストライプ状に分けて並べることで画像を生成し、パララックスバリア方式の立体表示装置やレンチキュラレンズ方式の立体表示装置に表示する場合に適用可能であることを特徴とする請求項９記載の立体画像表示方法。
【請求項１５】  被写体に対する左右２つの視点に対応して撮影した画像を表示する撮影表示システムに適用される立体画像表示方法を実行するプログラムを記憶したコンピュータにより読み出し可能な記憶媒体であって、
前記立体画像表示方法は、前記左右２つの視点に対応する画像のうち一方の画像の部分領域を第１の表示画像として切り出し、前記第１の表示画像の領域の移動に伴い、逐次他方の画像の前記第１の表示画像に対応する領域を抽出し、前記抽出領域を第２の表示画像として切り出す制御を行う制御ステップを有し、前記第１及び第２の表示画像を左右各々の眼で独立に観察可能としたことを特徴とする記憶媒体。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００８１
【補正方法】変更
【補正の内容】
【００８１】
【発明の効果】
以上説明したように、請求項１〜２記載の撮影表示システム、請求項８〜９記載の立体画像表示方法、請求項１５記載の記憶媒体によれば、被写体の左右２つの視点の画像から、一方の画像の部分領域を第１の表示画像として切り出し、他方の画像の前記第１の表示画像に対応する領域を抽出し、抽出した領域を第２の表示画像として切り出して、前記第１の表示画像と第２の表示画像を左右それぞれの眼で独立に観察するようにした撮影表示システムにおいて、前記第１の表示画像の領域を移動可能とし、前記第１の表示画像の領域の移動に伴い、逐次他方の画像の前記第１の表示画像に対応する領域を抽出し、抽出した領域を第２の表示画像として切り出して、前記第１の表示画像と前記第２の表示画像を左右それぞれの眼で独立に観察するようにしたので、左右画像の中に遠近の差が大きい被写体を含む場合にも画像の視野を限定することにより容易に被写体の立体像を観察できるという効果がある。
【手続補正９】
【補正対象書類名】明細書
【補正対象項目名】００８２
【補正方法】変更
【補正の内容】
【００８２】
また、請求項３記載の撮影表示システム、請求項１０記載の立体画像表示方法によれば、上記第１の表示画像の領域の移動を撮影表示システムの指示手段（ユーザインタフェース）を介して行うようにしたので、左右画像中の立体像を観察できる領域をインタラクティブに所望の領域に指定できるという効果がある。
【手続補正１０】
【補正対象書類名】明細書
【補正対象項目名】００８３
【補正方法】変更
【補正の内容】
【００８３】
また、請求項４記載の撮影表示システム、請求項１１記載の立体画像表示方法によれば、撮影手段に導光手段を装着して撮影した立体画像を左右２つに分割した画像であるようにしたので、左右画像の中に遠近の差が大きい被写体を含む場合にも画像の視野を限定することにより容易に被写体の立体像を観察できると共に、左右画像中の立体像を観察できる領域をインタラクティブに所望の領域に指定できる撮影表示システムを容易に提供できるという効果がある。
【手続補正１１】
【補正対象書類名】明細書
【補正対象項目名】００８４
【補正方法】変更
【補正の内容】
【００８４】
また、請求項６記載の撮影表示システム、請求項１３記載の立体画像表示方法によれば、パノラマ画像の視野移動立体視表示を行うことで、視野の移動量が大きくなり、より臨場感のある立体画像を観察できるという効果がある。
【手続補正１２】
【補正対象書類名】明細書
【補正対象項目名】００８５
【補正方法】変更
【補正の内容】
【００８５】
また、請求項１５記載の記憶媒体によれば、記憶媒体から立体画像表示方法を読み出して撮影表示システムで実行することで、左右画像の中に遠近の差が大きい被写体を含む場合にも画像の視野を限定することにより容易に被写体の立体像を観察できるようにすると共に、左右画像中の立体像を観察できる領域をインタラクティブに所望の領域に指定できるようにする制御を汎用のコンピュータの処理プログラムとして提供できるという効果がある。
【手続補正１３】
【補正対象書類名】明細書
【補正対象項目名】００８６
【補正方法】変更
【補正の内容】
【００８６】
また、請求項５、７記載の撮影表示システム、請求項１２、１４記載の立体画像表示方法によれば、デジタルカメラで異なる視点から別々に撮影した立体画像や複数の撮影光学系を持つ立体カメラで撮影した立体画像を表示する場合、左右画像をストライプ状に分けて並べることで画像を生成しパララックスバリア方式の立体表示装置やレンチキュラレンズ方式の立体表示装置に表示する場合においても、上記と同様の効果がある。